(57)【要約】  本発明のスナップフィットユニット及びエアーコンディショナーは、エアーコンディショナーの技術分野に属する。該スナップフィットユニットは、第１スナップフィット部材と、第２スナップフィット部材と、第３スナップフィット部材とを備える。第２スナップフィット部材は、接続シートと２つの弾性片とを含み、２つの弾性片がそれぞれ接続シートに対向して設けられる。２つの弾性片の一端には、それぞれ第１保持突出部が設けられて、第１係合構造を形成する。２つの弾性片の他端には、それぞれ第２保持突出部が設けられ、第２係合構造を形成する。接続シートには貫通穴が開設され、第１スナップフィット部材には第１係合部が設けられ、第１係合部が第１係合構造に保持される。第３スナップフィット部材には第２係合部が設けられ、第１係合が貫通穴を貫通して第２係合構造に保持されるか、又は、第２係合構造が貫通穴を貫通して、第２係合部に係合される。【選択図】  図１
2021503058.tif 000002
【特許請求の範囲】
【請求項１】
第１スナップフィット部材（２）と、第２スナップフィット部材（３）と、第３スナップフィット部材（４）とを備え、
前記第２スナップフィット部材（３）は、接続シート（７）と、２つの弾性片（９）とを含み、
２つの前記弾性片（９）がそれぞれ前記接続シート（７）に対向して設けられ、
２つの前記弾性片（９）の一端には、それぞれ第１保持突出部（１１）が設けられて、第１係合構造（１２）を形成し、
２つの前記弾性片（９）の他端には、それぞれ第２保持突出部（１４）が設けられて、第２係合構造（１５）を形成し、
前記接続シート（７）には貫通穴（１０）が開設され、
前記第１スナップフィット部材（２）には第１係合部が設けられ、
前記第１係合部が前記第１係合構造（１２）に保持され、
前記第３スナップフィット部材（４）には第２係合部が設けられ、
前記第２係合部が前記貫通穴（１０）を貫通して前記第２係合構造（１５）に保持されるか、又は、前記第２係合構造（１５）が前記貫通穴（１０）を貫通して、前記第２係合部に係合される、ことを特徴とするスナップフィットユニット。
【請求項２】
２つの前記弾性片（９）の前記第１保持突出部（１１）がそれぞれ２つの前記弾性片（９）の一側に対向して設けられ、前記第１係合部が係止口（５）であり、
前記第１係合構造（１２）が前記係止口（５）に伸び込んで、前記第１スナップフィット部材（２）に保持され、
２つの前記弾性片（９）の前記第２保持突出部（１４）がそれぞれ２つの前記弾性片（９）の他端に向かい合って設けられ、
前記第２係合部が掛け止めピン（１８）であり、
前記掛け止めピン（１８）が２つの前記弾性片（９）の前記第２保持突出部（１４）の間に伸び込んで、前記第２係合構造（１５）に保持される、ことを特徴とする請求項１に記載のスナップフィットユニット。
【請求項３】
前記係止口（５）の断面が矩形状であり、
２つの前記弾性片（９）の前記第１保持突出部（１１）は、いずれも長尺状であり、それぞれ前記係止口（５）に対向して設けられる２つの内側壁に保持される、ことを特徴とする請求項２に記載のスナップフィットユニット。
【請求項４】
前記係止口（５）の２つの前記内側壁はいずれも斜面（６）を有し、
２つの前記斜面（６）が対向して設けられ、それぞれ２つの前記弾性片（９）の前記第１保持突出部（１１）に嵌合される、ことを特徴とする請求項３に記載のスナップフィットユニット。
【請求項５】
前記接続シート（７）には２つの接続板（８）が凸設され、
２つの前記弾性片（９）がそれぞれ２つの前記接続板（８）の前記接続シート（７）とは反対側の一端に設けられ、断面がｈ字形の弾性構造を形成し、
前記第１保持突出部（１１）と前記接続板（８）との間に制限溝（１３）が形成され、前記第１スナップフィット部材（２）が前記制限溝（１３）内に設けられる、ことを特徴とする請求項２に記載のスナップフィットユニット。
【請求項６】
前記掛け止めピン（１８）は、接続される第１接続段（１９）と第２接続段（２０）とを含み、
前記第１接続段（１９）及び第２接続段（２０）の両側がそれぞれ係合溝（２１）を形成し、前記第２接続段（２０）が２つの前記弾性片（９）の前記第２保持突出部（１４）の間に伸び込み、
２つの前記第２保持突出部（１４）がそれぞれ２つの前記係合溝（２１）に保持される、ことを特徴とする請求項２に記載のスナップフィットユニット。
【請求項７】
前記係合溝（２１）及び前記第２保持突出部（１４）は、いずれも長尺状であり、
前記係合溝（２１）及び前記第２保持突出部（１４）の断面がいずれも弧形である、ことを特徴とする請求項６に記載のスナップフィットユニット。
【請求項８】
前記掛け止めピン（１８）は、第３接続段（２２）をさらに含み、
前記第３接続段（２２）が前記第２接続段（２０）に設けられ、且つ前記第３接続段（２２）と隣接する前記弾性片（９）との距離が、前記第１保持突出部（１１）の厚みより小さい、ことを特徴とする請求項６に記載のスナップフィットユニット。
【請求項９】
前記第３スナップフィット部材（４）は、接続本体（１７）を含み、
前記接続本体（１７）が当接面（２３）を有し、前記第２係合部が前記接続本体（１７）に設けられ、
前記第２係合構造（１５）と前記第２係合部とが係合される状態で、前記当接面（２３）と前記接続シート（７）とが当接される、ことを特徴とする請求項１に記載のスナップフィットユニット。
【請求項１０】
パネルと、中間枠と、台座と、請求項１〜９のいずれか１項に記載のスナップフィットユニット（１）とを備え、
前記第１スナップフィット部材（２）が前記台座に接続され、前記接続シート（７）が前記中間枠に接続され、前記第３スナップフィット部材（４）が前記パネルに接続される、ことを特徴とするエアーコンディショナー。
【発明の詳細な説明】
【技術分野】
【０００１】
本発明は、スナップフィット構造技術分野に関し、とりわけスナップフィットユニット及びエアーコンディショナーに関する。
【背景技術】
【０００２】
現在、複数のプラスチック部材の接続は、プラスチックの弾性変形によって、スナップフィットを介して接続される。しかし、該接続方式は、いずれも不備が存在し、組み立て易さと取り外し易さを両立させることが困難であり、取り外し易さを確保するためには、組み立て信頼性を譲歩しなければならず、頑丈性を高めるために、取り外し易さを譲歩しなければならない。部材を組み立てた後に取り外すと、部材の欠損を引き起こすことが多く、使用者に迷惑をかけてしまう。
【発明の概要】
【発明が解決しようとする課題】
【０００３】
これに鑑みて、本発明は、脱着しやすく、接続の信頼性が高いスナップフィットユニットを提供することを目的とする。
【課題を解決するための手段】
【０００４】
上記目的を達成するために、本発明の技術案は以下のように達成される。
【０００５】
本発明のスナップフィットユニットは、第１スナップフィット部材と、第２スナップフィット部材と、第３スナップフィット部材とを備え、
前記第２スナップフィット部材は、接続シートと、２つの弾性片とを含み、２つの弾性片がそれぞれ前記接続シートに対向して設けられ、２つの前記弾性片の一端には、それぞれ第１保持突出部が設けられて、第１係合構造を形成し、２つの前記弾性片の他端には、それぞれ第２保持突出部が設けられて、第２係合構造を形成し、
前記接続シートには貫通穴が開設され、前記第１スナップフィット部材には第１係合部が設けられ、前記第１係合部が前記第１係合構造に保持され、前記第３スナップフィット部材には第２係合部が設けられ、前記第２係合部が前記貫通穴を貫通して前記第２係合構造に保持されるか、又は、前記第２係合構造が前記貫通穴を貫通して、前記第２係合部に係合される。
【０００６】
さらに、２つの前記弾性片の前記第１保持突出部がそれぞれ２つの前記弾性片の一側に対向して設けられ、前記第１係合部が係止口であり、前記第１係合構造が前記係止口に伸び込んで、前記第１スナップフィット部材に保持され、
２つの前記弾性片の前記第２保持突出部がそれぞれ２つの前記弾性片の他端に向かい合って設けられ、前記第２係合部が掛け止めピンであり、前記掛け止めピンが２つの前記弾性片の前記第２保持突出部の間に伸び込んで、前記第２係合構造に保持される。
【０００７】
さらに、前記係止口の断面が矩形状であり、２つの前記弾性片の前記第１保持突出部は、いずれも長尺状であり、それぞれ前記係止口に対向して設けられる２つの内側壁に保持される。
【０００８】
さらに、前記係止口の２つの前記内側壁はいずれも斜面を有し、２つの前記斜面が対向して設けられ、それぞれ２つの前記弾性片の前記第１保持突出部に嵌合される。
【０００９】
さらに、前記接続シートには２つの接続板が凸設され、２つの前記弾性片がそれぞれ２つの前記接続板の前記接続シートとは反対側の一端に設けられ、断面がｈ字形の弾性構造を形成し、前記第１保持突出部と前記接続板との間に制限溝が形成され、前記第１スナップフィット部材が前記制限溝内に設けられる。
【００１０】
さらに、前記掛け止めピンは、接続される第１接続段と第２接続段とを含み、前記第１接続段及び第２接続段の両側がそれぞれ係合溝を形成し、前記第２接続段が２つの前記弾性片の前記第２保持突出部の間に伸び込み、２つの前記第２保持突出部がそれぞれ２つの前記係合溝に保持される。
【００１１】
さらに、前記係合溝及び前記第２保持突出部は、いずれも長尺状であり、前記係合溝及び前記第２保持突出部の断面がいずれも弧形である。
【００１２】
さらに、前記掛け止めピンは、第３接続段をさらに含み、前記第３接続段が前記第２接続段に設けられ、且つ前記第３接続段と隣接する前記弾性片との距離が、前記第１保持突出部の厚みより小さい。
【００１３】
さらに、前記第３スナップフィット部材は、接続本体を含み、前記接続本体が当接面を有し、前記第２係合部が前記接続本体に設けられ、前記第２係合構造と前記第２係合部とが係合される状態で、前記当接面と前記接続シートとが当接される。
【発明の効果】
【００１４】
本発明に記載のスナップフィットユニットは、従来のそれと比べて、以下の利点を有する。
本発明のスナップフィットユニットは、第２スナップフィット部材の２つの弾性片が接続シートに対向して設けられ、且つ接続シートに開設される貫通穴によって、２つの弾性片の一端に形成される第１係合構造と第１スナップフィット部材の第１係合部とを係合させることができるとともに、該貫通穴によって２つの弾性片の他端に形成される第２スナップフィット構造と、第３スナップフィット部材の第２係合部とを係合させることができ、第１スナップフィット部材と、第２スナップフィット部材と、第３スナップフィット部材との３つの構成部品の接続信頼性が高く、脱着しやすく、設計が精巧であり、汎用性が高い。
【００１５】
本発明の他の目的は、パネルと、中間枠と、台座との接続信頼性を達成し、脱着しやすいエアーコンディショナーを提供することである。
【００１６】
上記目的を達成するために、本発明の技術案は以下のように達成される。
【００１７】
本発明に係るエアーコンディショナーは、パネルと、中間枠と、台座と、スナップフィットユニットとを備える。
【００１８】
前記スナップフィットユニットは、第１スナップフィット部材と、第２スナップフィット部材と、第３スナップフィット部材とを備える。
【００１９】
前記第２スナップフィット部材は、接続シートと、２つの弾性片とを含み、２つの弾性片がそれぞれ前記接続シートに対向して設けられ、２つの前記弾性片の一端には、それぞれ第１保持突出部が設けられて、第１係合構造を形成し、２つの前記弾性片の他端には、それぞれ第２保持突出部が設けられて、第２係合構造を形成する。
【００２０】
前記接続シートには貫通穴が開設され、前記第１スナップフィット部材には第１係合部が設けられ、前記第１係合部が前記第１係合構造に保持され、前記第３スナップフィット部材には第２係合部が設けられ、前記第２係合部が前記貫通穴を貫通して前記第２係合構造に保持されるか、又は、前記第２係合構造が前記貫通穴を貫通して、前記第２係合部に係合される。
【００２１】
前記第１スナップフィット部材が前記台座に接続され、前記接続シートが前記中間枠に接続され、前記第３スナップフィット部材が前記パネルに接続される。
【００２２】
前記中間枠には２つの弾性片が設けられ、２つの弾性片がそれぞれ前記中間枠に対向して設けられ、２つの前記弾性片の同一端には、それぞれ第１保持突出部が設けられて、第１係合構造を形成し、２つの前記弾性片の他端には、それぞれ第２保持突出部が設けられて、第２係合構造を形成し、
前記中間枠には貫通穴が開設され、前記台座には第１係合部が設けられ、前記第１係合部が前記第１係合構造に保持され、前記パネルには第２係合部が設けられ、前記第１係合部が前記貫通穴を貫通して前記第２係合構造に保持されるか、又は、前記第２係合構造が前記貫通穴を貫通して前記第２係合部に係合される。
【００２３】
本発明のエアーコンディショナーは、従来のそれと比べて、以下の利点を有する。
本発明のエアーコンディショナーは、第１スナップフィット部材が台座に接続され、接続シートが中間枠に接続され、第３スナップフィット部材がパネルに接続され、パネルと、中間枠と、台座との接続を実現することができ、且つ接続信頼性が高く、脱着しやすく、設計が精巧であり、耐用年数を向上させる。
【００２４】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００２５】
【図１】本発明第１実施例のスナップフィットユニットの構造模式図である。
【図２】本発明第１実施例の第１スナップフィット部材の構造模式図である。
【図３】本発明第１実施例のスナップフィットユニットの断面構造模式図である。
【図４】本発明第１実施例の第２スナップフィット部材の構造模式図である。
【図５】本発明第１実施例の第３スナップフィット部材の構造模式図である。
【図６】本好適な実施例のスナップフィットユニットの第１構造の模式図である。
【図７】本好適な実施例のスナップフィットユニットの第２構造の模式図である。
【図８】本好適な実施例のスナップフィットユニットの第３構造の模式図である。
【図９】本好適な実施例のスナップフィットユニットの第４構造の模式図である。
【発明を実施するための形態】
【００２６】
なお、本発明の実施例及び実施例の特徴は、矛盾がない限り、互いに組み合わせることができる。
【００２７】
また、本発明の実施例に使用される「第１」、「第２」用語などは、説明を区別するためのものにすぎず、相対的な優先順位を明示又は暗示するものではない。
【００２８】
以下、図面を参照しながら実施例と組み合わせて本発明について詳細に説明する。
【００２９】
第１実施例
図１は、本実施例に記載のスナップフィットユニット１の構造模式図である。図１を参照して、本実施例は、第１スナップフィット部材２と、第２スナップフィット部材３と、第３スナップフィット部材４とを備えるスナップフィットユニット１である。第１スナップフィット部材２及び第３スナップフィット部材４がそれぞれ第２スナップフィット部材３に取り外し可能に接続される。
【００３０】
図２は、本実施例に記載の第１スナップフィット部材２の構造模式図である。図２を参照して、本実施例では、第１スナップフィット部材２は、板状であり、第２スナップフィット部材３が伸び込んで第１スナップフィット部材２に係合されるための係止口５が開設される。
【００３１】
第１スナップフィット部材２と第２スナップフィット部材３との接続信頼性を向上するために、本実施例では、係止口５の断面は矩形状である。
【００３２】
図３は、本実施例に記載のスナップフィットユニット１の断面構造模式図である。図２及び図３を参照して、係止口５は、対向して設けられる２つの長い内側壁を有し、２つの内側壁がそれぞれ第２スナップフィット部材３に保持される。
【００３３】
本実施例では、これらの２つの内側壁はいずれも斜面６を有し、２つの斜面６が対向して設けられる。また、板状の第１スナップフィット部材２は、対向して設けられる第１表面と第２表面とを有し、第１表面が第２スナップフィット部材３に向けて設けられる。係止口５が第１表面及び第２表面を貫通する。２つの斜面６がいずれも第２表面に向けて設けられる。
【００３４】
この構造によって、第１スナップフィット部材２と第２スナップフィット部材３とが係合されるとき、トランジション作用を果たし、接続プロセスの円滑さを確保することができる。
【００３５】
図４は、本実施例に記載の第２スナップフィット部材３の構造模式図である。図４を参照して、本実施例では、第２スナップフィット部材３は、接続シート７と、２つの接続板８と、２つの弾性片９とを含む。
【００３６】
２つの接続板８が対向して設けられ、２つの弾性片９がそれぞれ２つの接続板８の接続シート７とは反対側の一端に設けられて、断面がｈ字形の弾性構造を形成し、また、２つの弾性片９が対向して間隔をおいて設けられる。
【００３７】
ただし、２つの弾性片９がそれぞれ接続板８に２つの接続シート７を介して弾性接続される。
【００３８】
図３及び図４を参照して、本実施例では、接続シート７は板状であり、接続シート７の中部には、第３接続部材を貫通させるための貫通穴１０が開設される。
【００３９】
なお、本実施例では、貫通穴１０は矩形状であり、また、貫通穴１０の長さ及び幅がそれぞれ、２つの弾性片９の間の距離及び弾性片９自体の幅より大きい。
【００４０】
本実施例では、２つの弾性片９は、いずれも接続シート７に対して垂直に設けられる。
【００４１】
ただし、他の好適な実施例では、２つの弾性片９と接続シート７は、他の接続方式で弾性接続されてもよく、たとえば２つの弾性片９が貫通穴１０に対向して設けられ、それぞれ貫通穴１０の内側壁に接続される。
【００４２】
２つの弾性片９の一端には、それぞれ第１保持突出部１１が設けられて、第１係合構造１２を形成する。第１係合構造１２が第１スナップフィット部材２に嵌合される。
【００４３】
本実施例では、２つの第１保持突出部１１は、それぞれ２つの弾性片９の一側に対向して設けられる。
【００４４】
ただし、２つの弾性片９が係止口５内に伸び込むことができ、且つ２つの第１保持突出部１１がそれぞれ係止口５の対向して設けられる２つの内側壁に係合することができる。
【００４５】
本実施例では、第１保持突出部１１と接続板８との間には、制限溝１３が形成される。なお、２つの第１保持突出部１１と係止口５の内側壁とが係合される状態で、第１スナップフィット部材２が制限溝１３内に設けられる。制限溝１３は、第１スナップフィット部材２がさらに接続シート７に向けて移動することを阻止し、制限することができる。
【００４６】
本実施例では、係止口５の内側壁との接触面積を増大させ、接続の信頼性を強化するために、２つの弾性片９の第１保持突出部１１は、いずれも長尺状であり、それぞれ係止口５の対向して設けられる２つの内側壁に嵌合される。
【００４７】
ただし、他の実施例では、第１保持突出部１１は、さらに、係止口５の、長さが短い残りの２つの内側壁に接続されてもよい。
【００４８】
なお、異なる程度の係合強度を達成するために、各弾性片９における第１保持突出部１１の数は、１つ以上であってもよい。
【００４９】
続いて図３を参照して、本実施例では、２つの弾性片９の他端にはそれぞれ第２保持突出部１４が設けられて、第２係合構造１５を形成する。第２係合構造１５が第３スナップフィット部材４に嵌合される。
【００５０】
本実施例では、２つの第２保持突出部１４は、それぞれ２つの弾性片９の第１保持突出部１１に対向する他端に設けられ、また、２つの第２保持突出部１４は、向かい合って設けられる。
【００５１】
本実施例では、第２保持突出部１４は、長尺状であり、且つ第２保持突出部１４の断面が弧形である。
【００５２】
この構造によって、第３スナップフィット部材４との接続の信頼性を強化させることに有利であり、また、係合プロセスを円滑にすることに有利である。
【００５３】
本実施例では、２つの第１保持突出部１１及び２つの第２保持突出部１４は、いずれも貫通穴１０の同一側に位置する。
【００５４】
ただし、他の好適な実施例では、２つの弾性片９は、さらに貫通穴１０から伸び出してもよく、２つの第１保持突出部１１を貫通穴１０の一側に位置させ、２つの第２保持突出部１４が貫通穴１０の他端に位置する。
【００５５】
本実施例では、弾性構造の構造安定性を強化するように、２つの接続板８と接続シート７との間には、補強リブ１６がさらに設けられる。
【００５６】
図５は、本実施例に記載の第３スナップフィット部材４の構造模式図である。図５を参照して、本実施例では、第３スナップフィット部材４は、接続本体１７と掛け止めピン１８とを含む。掛け止めピン１８が接続本体１７に設けられる。掛け止めピン１８が第２係合構造１５に係合される。
【００５７】
図３及び図５を参照して、本実施例では、掛け止めピン１８は、接続される第１接続段１９と第２接続段２０とを含み、第１接続段１９及び第２接続段２０の両側がそれぞれ係合溝２１を形成し、第２接続段２０が２つの弾性片９の第２保持突出部１４の間に伸び込み、２つの第２保持突出部１４がそれぞれ２つの係合溝２１に保持される。
【００５８】
なお、本実施例では、係合溝２１も長尺状であり、且つ係合溝２１の断面が弧形である。ただし、本実施例のスナップフィットユニット１の第３スナップフィット部材４の掛け止めピン１８は、貫通穴１０に伸び込み、且つ２つの弾性片９の２つの第２保持突出部１４の間に伸び込むとき、円滑に摺動しつつ保持することができ、接触面積が大きく、安定に保持できる。
【００５９】
本実施例では、掛け止めピン１８は、第２接続段２０に設けられる第３接続段２２をさらに含む。
【００６０】
本実施例では、第３接続段２２と隣接する弾性片９との距離は、第１保持突出部１１の厚みより小さい。
【００６１】
なお、本実施例に記載の第３接続段２２と隣接する弾性片９との距離とは、第１保持突出部１１と第１スナップフィット部材２とが保持される状態で、弾性片９と第３接続段２２との間に形成される隙間の距離ａである。第１保持突出部１１の厚みとは、第１保持突出部１１の頂点と弾性片９との距離ｂである。ただし、弾性片９が変形できるように、第３接続段２２と両側の弾性片９との間には、いずれも所定の距離があり、隙間が形成されている。また、第３接続段２２と隣接する弾性片９との間の距離ａが第１保持突出部１１の厚みｂより小さく、第２スナップフィット部材３の２つの第１保持突出部１１と第１スナップフィット部材２とを係合接続させることができ、且つ第３スナップフィット部材４の掛け止めピン１８と２つの第２保持突出部１４とが係合接続される状態で、第１スナップフィット部材２と第２スナップフィット部材３とが係合され、弾性片９が係止口５から外れることができず、係合接続構造は、信頼性が高く、セルフロックを達成できる。
【００６２】
好ましくは、第１保持突出部１１の厚みｂは、第３接続段２２と隣接する弾性片９との間の距離ａより０．２ｍｍ〜０．５ｍｍ大きく設定されてもよい。
【００６３】
本実施例では、接続本体１７は、掛け止めピン１８が設けられる当接面２３を有し、また、第２係合構造１５と掛け止めピン１８とが係合される状態で、当接面２３と接続シート７とが当接される。
【００６４】
ただし、この構造は、第２スナップフィット部材３と第３スナップフィット部材４との接続構造の安定性に有利であり、揺動しにくい。
【００６５】
他の好適な実施例では、接続本体１７には、ミゾがさらに設けられてもよく、掛け止めピン１８をミゾの底壁に設けて、貫通穴１０から突出した第２係合構造１５と係合させる。
【００６６】
図１及び図３を参照して、本実施例のスナップフィットユニット１を組み立てるとき、弾性片９の弾性作用で、第２スナップフィット部材３の２つの弾性片９の第１係合構造１２を係止口５に挿入し、弾性片９の復元作用で、２つの第１保持突出部１１と係止口５の２つの内側壁との保持を達成する。さらに、第３スナップフィット部材の掛け止めピン１８を貫通穴１０に挿入し、さらに２つの弾性片９の弾性作用で２つの第２保持突出部１４の間に挿入し、２つの弾性片９の弾性復元作用で、２つの保持突出部と２つの係合溝２１とを保持させる。
【００６７】
なお、本実施例では、第１保持構造と第２保持構造とは、２つの弾性片９を共用し、各弾性片９における第１保持突出部１１の方向と第２保持突出部１４の方向とが反対向きとなることによって、スナップフィット構造が単方向の係合力を有し、連動効果を有する。掛け止めピン１８と２つの第２保持突出部１４とが保持される状態で、２つの第１保持突出部１１と係止口５とをロックすることにより、セルフロックの効果を有する。第３接続段２２と隣接する弾性片９との間の距離ａが第１保持突出部１１の厚みｂより小さいため、ロックを解除するとき、掛け止めピン１８を引き出すように、第１スナップフィット部材２と、第２スナップフィット部材３と、第３スナップフィット部材４とのロックを解除することができる。
【００６８】
図６は、好適な実施例のスナップフィットユニット１の第１構造模式図である。なお、図６を参照して、他の好適な実施例では、本実施例のスナップフィットユニット１は、さらに第２スナップフィット部材３の数を増加させることによって、複数の異なる構成部品の接続を達成することができる。
【００６９】
図７は、本好適な実施例のスナップフィットユニット１の第２構造模式図である。図８は、本好適な実施例のスナップフィットユニット１の第３構造模式図である。図９は、本好適な実施例のスナップフィットユニット１の第４構造模式図である。ただし、図７〜図９を参照して、他の好適な実施例では、第１スナップフィット部材と、第２スナップフィット部材３と、第３スナップフィット部材４との取り外し可能な接続を達成できれば、第１スナップフィット部材、第２スナップフィット部材３及び第３スナップフィット部材４の構造は、それぞれ変形してもよい。
【００７０】
ただし、係止口５を第１スナップフィット部材２における第１係合部とし、掛け止めピン１８を第３スナップフィット部材４における第２係合部とし、他の好適な実施例では、第２スナップフィット部材３の構造に応じて第１スナップフィット部材２及び第３スナップフィット部材４を適宜調整することができる。
【００７１】
図７を参照して、第２スナップフィット部材３の２つの第１保持突出部１１が対向して設けられ、２つの第２保持突出部１４も対向して設けられる状態で、第１スナップフィット部材２における第１係合部及び第３スナップフィット部材４における第２係合部をいずれも掛け止めピン１８として設けて、それぞれ第１保持構造と第２保持構造とに係合させることができる。
【００７２】
図８を参照して、第２スナップフィット部材３の２つの第１保持突出部１１が対向して設けられ、及び２つの第２保持突出部１４も対向して設けられる状態で、第１スナップフィット部材２の第１係合部及び第３スナップフィット部材４における第２係合部をいずれも係止口５として設けてもよく、それぞれ第１保持構造と第２保持構造とに係合させる。
【００７３】
図９を参照して、第２スナップフィット部材３における２つの第１保持突出部１１、及び２つの第２保持突出部１４の方向を変更するとともに、第１スナップフィット部材２及び第３スナップフィット部材４の方向を変更してもよく、それにより、第１スナップフィット部材と、第２スナップフィット部材３と、第３スナップフィット部材４との取り外し可能な接続を達成する。
【００７４】
第２実施例
本実施例は、パネルと、中間枠と、台座とを備えており、第１実施例のスナップフィットユニット１を用いるエアーコンディショナーを開示する。第１スナップフィット部材２が台座に接続され、第２スナップフィット部材３が中間枠に接続され、第３スナップフィット部材４がパネルに接続され、パネルと、中間枠と、台座との取り外し可能な接続を達成し、且つ接続の信頼性が高い。
【００７５】
ただし、他の好適な実施例では、第１スナップフィット部材２と、第２スナップフィット部材３と、第３スナップフィット部材４とは、それぞれ台座と、中間枠と、パネルとにそれぞれ一体に設けられ、以下の構造を形成する。
中間枠には２つの弾性片９が設けられ、２つの弾性片９がそれぞれ中間枠に対向して設けられる。２つの弾性片９の同一端には、それぞれ第１保持突出部１１が設けられて、第１係合構造１２を形成する。２つの弾性片９の他端には、それぞれ第２保持突出部１４が設けられて、第２係合構造１５を形成する。
【００７６】
中間枠には貫通穴１０が開設され、台座には第１係合部が設けられ、第１係合部と第１係合構造１２とが保持される。パネルには第２係合部が設けられ、第１係合部が貫通穴１０を貫通して第２係合構造１５に保持されるか、又は、第２係合構造１５が貫通穴１０を貫通して、第２係合部に係合される。
【００７７】
ただし、他の好適な実施例では、第１実施例に開示されているスナップフィットユニット１は、さらに、エアーコンディショナーの他の構造、たとえば、配線蓋、中間枠及び台座などの接続にも適用することができる。
【００７８】
なお、本発明の実施例に開示されているスナップフィットユニット１は、第２スナップフィット部材３の２つの弾性片９が接続シート７に対向して設けられ、且つ接続シート７に開設される貫通穴１０によって、２つの弾性片９の同一端に形成される第１係合構造１２と第１スナップフィット部材２の第１係合部とを係合させることができるとともに、該貫通穴１０によって２つの弾性片９の他端に形成される第２スナップフィット構造と、第３スナップフィット部材４の第２係合部とを係合させることができ、第１スナップフィット部材２と、第２スナップフィット部材３と、第３スナップフィット部材４との３つの構成部品を接続でき、且つ接続信頼性が高く、脱着しやすく、設計が精巧であり、汎用性が高い。
【００７９】
本発明の実施例のエアーコンディショナーは、２つの弾性片９が中間枠に対向して設けられ、且つ中間枠に開設される貫通穴１０によって、２つの弾性片９の一端に形成される第１係合構造１２を台座の第１係合部に係合させることができるとともに、該貫通穴１０によって、２つの弾性片９の他端に形成される第２スナップフィット構造をパネルの第２係合部に係合させることができ、パネルと、中間枠と、台座とを接続し、且つ接続信頼性が高く、脱着しやすく、設計が精巧であり、耐用年数を向上させる。
【００８０】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００８１】
１  スナップフィットユニット
２  第１スナップフィット部材
３  第２スナップフィット部材
４  第３スナップフィット部材
５  係止口
６  斜面
７  接続シート
８  接続板
９  弾性片
１０  貫通穴
１１  第１保持突出部
１２  第１係合構造
１３  制限溝
１４  第２保持突出部
１５  第２係合構造
１６  補強リブ
１７  接続本体
１８  掛け止めピン
１９  第１接続段
２０  第２接続段
２１  係合溝
２２  第３接続段
２３  当接面
【図１】
2021503058.tif 000003
【図２】
2021503058.tif 000004
【図３】
2021503058.tif 000005
【図４】
2021503058.tif 000006
【図５】
2021503058.tif 000007
【図６】
2021503058.tif 000008
【図７】
2021503058.tif 000009
【図８】
2021503058.tif 000010
【図９】
2021503058.tif 000011
【国際調査報告】
2021503058.tif 000012
2021503058.tif 000013
2021503058.tif 000014
2021503058.tif 000015